(57)【特許請求の範囲】
【請求項１】
床上に載置した家具に取付けられて前記家具から水平方向に延びるアームと、床上に配置されてＯＡ機器本体が載る載置台とを有しており、前記載置台は、前記アームの先端に水平回動可能に連結されていると共に、床面に当たるキャスタを備えている、
という構成であって、
前記アームは平面視略Ｌ字状に形成されており、その基端が前記家具に取付けられる一方、前記載置台は長手方向を有する平面視形状であり、前記載置台を、長手方向の一端部を中心にして水平回動するように前記アームの先端に連結している、
ＯＡ機器本体用載置装置。
【請求項２】
請求項１に記載したＯＡ機器本体用載置装置と、前記ＯＡ機器本体用載置装置のアームが取り付く支柱装置とから成り、前記支柱装置は、床面に支持された水平足体とこの水平足体から起立した支柱とを有しており、前記支柱の手前に配置した机天板の下方に前記ＯＡ機器本体用載置装置が配置されている、
という構成であって、
前記支柱の外周には、ＯＡ機器本体用載置装置に向いて開口した開口溝が上下に長く形成されており、前記開口溝を介して前記アームの基端を支柱に着脱可能に連結している、
ＯＡ機器本体用載置装置と支柱装置との組み合わせ。
【発明の詳細な説明】
【０００１】
【発明の属する技術分野】
本発明は、事務所等の室内において、床面に立設させた間仕切パネル独立的支柱装置やテーブルの下方等に設置するコンピュータ等のＯＡ機器本体を載置するＯＡ機器本体用載置装置及びこれと支柱装置との組み合わせに関するものである。
【０００２】
【従来の技術】
従来技術として例えば、特開２０００−３５８３３号公報には、机の下方の床面に固定したベース上に軸部を立設する一方、ＯＡ機器載置台の一端下部に垂設した脚部を前記軸部に回動可能に嵌挿すると共に、該載置台の他端下部には床面に接するキャスタを設けることにより、この載置台を、前記軸部を中心にして机の奥行き方向及び幅方向のそれぞれに旋回可能に構成することが開示されている。
【０００３】
【発明が解決しようとする課題】
しかしながら、前記公報に記載のものでは、床面に平面視略Ｌ字状のベースをビス等にて固定するという施工が必要となり、設置場所を変更するときには、床面にビス跡が残るという問題があった。また、床材は前記ビスが通らない金属製、コンクリートなど種々あるから、べースの固定手段も床材に応じて変更しなければならず、施工作業も面倒であった。
【０００４】
本発明は、これらの従来の問題点を解消することを目的とするものである。
【０００５】
【課題を解決するための手段】
請求項１の発明は、床上に載置した家具に取付けられて前記家具から水平方向に延びるアームと、床上に配置されてＯＡ機器本体が載る載置台とを有しており、前記載置台は、前記アームの先端に水平回動可能に連結されていると共に、床面に当たるキャスタを備えている、というＯＡ機器本体用載置装置であって、前記アームは平面視略Ｌ字状に形成されており、その基端が前記家具に取付けられる一方、前記載置台は長手方向を有する平面視形状であり、前記載置台を、長手方向の一端部を中心にして水平回動するように前記アームの先端に連結している。
【０００６】
請求項２の発明は、請求項１に記載したＯＡ機器本体用載置装置と、前記ＯＡ機器本体用載置装置のアームが取り付く支柱装置との組み合わせに係り、前記支柱装置は、床面に支持された水平足体とこの水平足体から起立した支柱とを有しており、前記支柱の手前に配置した机天板の下方に前記ＯＡ機器本体用載置装置が配置されている。そして、前記支柱の外周には、ＯＡ機器本体用載置装置に向いて開口した開口溝が上下に長く形成されており、前記開口溝を介して前記アームの基端を支柱に着脱可能に連結している。
【０００７】
【０００８】
【発明の実施の形態】
次に、本発明を具体化した実施形態について説明する。図１は本発明を適用した支柱装置と机とＯＡ機器本体用載置装置の斜視図、図２は支柱装置と机とＯＡ機器本体用載置装置との側面図、図３はＯＡ機器本体用載置装置の平面図、図４は同じく側面図、図５は支柱装置に対するアームの取付け部の拡大平面図である。
【０００９】
図１〜図３に示すように、本実施形態の机１は、平面視略半円状の机天板２を左右両側の脚体４で支持した構成になっており、机天板２の外周側に隣接して１乃至複数のサービスコア３が配置されている。実施形態では、机天板２の外周縁の曲率半径は略６００ｍｍ〜８００ｍｍ程度であり、好ましくは７５０ｍｍである。手前側の凹縁部の曲率半径は３５０ｍｍ程度に設定されている。
【００１０】
机天板２を支持する脚体４は脚柱４ａと平面視円弧状の水平足４ｂとからなり、この水平足４ｂは、平面視において、前記机天板２の外周縁の内径側で略沿うように配置され、各水平足４ｂの下面には複数のキャスタ５が取付けられて、平面視において前記中心のまわりに回動可能に構成されている。
【００１１】
また、机天板２の外周寄りの下面には、平面視円弧状で下向きに開口した断面下向きコ字状のガイドレール（図示せず）が埋め込む等して固定される。このガイドレールは、後述するように、前記サービスコア３と連結された状態で、机天板２が水平に回動するときのガイド手段の一部を構成することになる。
【００１２】
サービスコア３を構成する支柱装置６は、アルミ押出材等の金属製または合成樹脂製からなる支柱７と、床面に当接する水平足体９とより成り、独立的に自立できるものである。円弧状の水平足体９の長手方向略中央部に、支柱７の下端を図示しないボルト等にて連結固定する。なお、前記水平足体９から机天板２の下方の内周方向に延びる補助水平足１０を設けて、自立の安定性を向上させている（図１及び図２参照）。この補助水平足１０の上面は、机天板２の凹縁部に対峙して、椅子１１に座る人Ｈ０の足載せ部を兼用している。また、物品収納箱１２ａを有するワゴン装置１２を有し、このワゴン装置１２は机天板２の下方に移動可能である。
【００１３】
サービスコア３は、図１、図２に等に示すように、平面視略円弧状で中空状のビーム体１３、平面視略円弧状の偏平な棚板１４、書類等の物品を収納する収納体１５、照明器具１７、メモボード１９、コンピュータ等の本体等のＯＡ機器が載る載置台２０、コンセントボックス２３等のサービス手段を有する。これらサービス手段は、取付け部材、ブラケット３０等の取付け手段を介して支柱７の第１〜第３作業部に装着でき、且つこの各作業部に沿って電力用コードや通信用コードを配線することができるように構成されている。
【００１４】
また、ビーム体１３に下向きに突設した一対の上下動可能な支持体４５（図２参照、一方のみ示す）には回転コロ４６を設け、この回転コロ４６を、机天板２の下面に埋め込まれた既述の平面視円弧状のガイドレールに嵌めて、机１が前述のようにサービスコア３に沿って円弧状に回転できるようにしている。
【００１５】
次に、図１〜図６を参照しながら、前記支柱装置６の支柱７に連結され、机天板２の下方の床面に水平回動可能に構成された載置台２０について詳述する。
【００１６】
載置台２０は、図３に示すように平面視略長楕円状であり、図４に示すように、その下面に、断面上向き開放箱型等に屈曲形成された補強フレーム５０がビス５５等により固定されている。
【００１７】
そして、載置台２０の一端部が、補強フレーム５０に装着された縦軸５１により、平面視略Ｌ字状のアーム５２の先端部を水平回動可能に連結されている。アーム５２は断面矩形筒状等に形成されている。このアーム５２の基端は、後述する取付け部材５９を介して前記支柱７の外面に着脱自在に装着されている。
【００１８】
また、載置台２０のうち、前記アーム５２の先端に取付く一端部から大きく離れた他端側には、ＯＡ機器載置台２０の補強フレーム５０に支持され下向きに延びる脚体５３を設け、この脚体５３にキャスタ５４が取付けられる。従って、載置台２０はキャスタ５４にて床面５６に移動可能に支持されている。
【００１９】
図５は支柱７及び取付け部材５９の断面図を示し、支柱７の断面の中央側に位置する芯材７１の内部は略小鼓状の中空部７２が形成されており、該中空部７２の四隅には、略円形の挿通溝７２ａが形成されている。
【００２０】
芯材７１の半径外側には、当該芯材７１の中心を挟んで相対向するように、図５において、Ｘ軸方向の一対の第１側面板７３ａと、Ｙ軸方向の一対の第２側面板７３ｂとが、各々複数の連結片７４ａ、７４ｂ，７４ｃを介して一体的に連接されている。実施形態ではＸ軸方向の一対の第１側面板７３ａとＹ軸方向の一対の第２側面板７３ｂとで囲まれた形状が略楕円である。従って、第１側面板７３ａ側が長径側に位置し、第２側面板７３ｂが短径側に位置することになる。
【００２１】
そして、前記一対の第１側面板７３ａには、幅寸法Ｗ１の狭幅の第１開口溝７６ａが支柱７の中心軸線と平行状に支柱７の長手方向に沿うように形成されている。前記各第１側面板７３ａ側に設けられる第１作業溝は、前記各第１開口溝７６ａと、これに連通し、前記芯材７１寄り部位で広幅となる第１挿通溝７６ｂとにより構成されている。従って、前記一対の第１作業溝としての第１開口溝７６ａは、Ｘ軸方向において、互いに反対方向に開口することになる。なお、前記各第１挿通溝７６ｂの底部には、第１開口溝７６ａの幅寸法よりやや狭い間隔の一対のレール部が、支柱７の中心軸線と平行状に支柱７の長手方向に沿うように形成されている。
【００２２】
第２作業溝は、前記第２側面板７３ｂ側に支柱７の長手方向に沿うように設けられた幅寸法Ｗ２の狭幅の第２開口溝７８ａと、これに連通して前記芯材７１寄り部位で広幅となる第２挿通溝７８ｂとにより構成されている。従って、前記一対の第２作業溝としての第２開口溝７８ａはＹ軸方向において、互いに反対方向に開口することになる。
【００２３】
さらに、前記第１側面板７３ａと第２側面板７３ｂと間には、第３作業溝７９を設ける。従って、第３作業溝７９は、前記第１作業溝と第２作業溝とに挟まれて４箇所に形成されることになる。
【００２４】
図６（ａ）及び図６（ｂ）に示すように、前記アーム５２の基端が溶接等により固定された断面コ字状の取付け部材５９には、その左右両側に後向下向きの係合爪６０、６１が設けられている。そして、一対の第３作業溝７９には、縦長の係止板６２が支柱７の上端から落とし込み挿入されている。この係止板６２には、上下方向に所定の間隔にて係止溝孔（図示せず）が穿設されており、断面コ字状の取付け部材５９の基端左右両側に設けた下向き係合爪６０を、前記係止溝孔に挿入して係止する。
【００２５】
そして、取付け部材５９が支柱７に対して横ずれ等しないように強固に固定するため、取付け部材５９の表面側のハンドル６３にて回転するねじを係合ブロック６４にねじ込んでいる。
【００２６】
以上の構成において、載置台２０上に、ＯＡ機器本体の一例としてのサーバーなどのコンピュータ本体２５を載置できる。なお、載置台２０の上面一側には、安定枠兼用の把手６５を立設してあり、コンピュータ本体２５が載置された載置台２０を前記縦軸５１の回りに水平回動させるにおいて、椅子１１に座った作業者が若干屈んで腕を延ばすだけで把手６５に手が届くから、把手６５を手で持って載置台２０を回動操作することにより、コンピュータ本体２５にフレキシブルディスクやＣＤ−ＲＯＭ等の記録媒体を出し入れし易くなる。
【００２７】
また、アームが平面視で略Ｌ字状に屈曲しているので、平面視において支柱７の側方でかつ机天板２の背面側に近い下方位置に、載置台２０の回動中心（縦軸５１）をもってくることができるから、載置台２０の長手方向を机天板２の奥側の縁と略平行状になるように向きを変えることができ、すると、椅子１１に座る人ＨＯの足元が載置台２０に干渉しないから快適な事務作業ができる。
【００２８】
本発明に係る載置台２０は前記支柱装置７ばかりでなく、間仕切パネルにおける支柱部分や机の脚体等にアーム５２を介して取り付けることができる。
【００２９】
さらに、支柱７上下中途部から外に電力用コードや通信線を引き出して、コンピュータ本体２５に簡単に接続できる。
【００３０】
【発明の効果】
【００３１】
本願発明では、載置台の水平回動中心となるアームが、床面に固定されるのではなくて家具に取付けられており、家具の設置場所を変えるとアームも変更できると共に、家具に対してアームの位置を簡単に変更できる結果、載置台の設置場所を容易に変更できる。また、載置台は、アームに対して水平回動可能に連結されていると共にキャスタを備えているから、載置台の向きを作業に応じて簡単に変更できる。
【００３２】
そして、アームは平面視略Ｌ字状に形成されものであるから、例えば、載置台の回動中心を、家具の表面に対してそれほど離れていない箇所でしかもアームの基部から遠くに位置させることができる。
【００３３】
また、請求項２の発明では、支柱の開口溝に対するアームの基端部の着脱項が簡単にでき、載置台の配置変えが至極簡単にできるという効果を奏する。
【図面の簡単な説明】
【図１】机と支柱装置とＯＡ機器本体用載置装置の斜視図である。
【図２】机と支柱装置とＯＡ機器本体用載置装置の側面図である。
【図３】ＯＡ機器本体用載置装置の平面図である。
【図４】ＯＡ機器本体用載置装置の側面図である。
【図５】支柱と取付け部材との平断面図である。
【図６】（ａ）は取付け部材の正面図、（ｂ）は側面図である。
【符号の説明】
６  支柱装置
７  支柱
９  水平足体
２０  載置台
２５  コンピュータ本体
５０  補強フレーム
５１  縦軸
５２  アーム
５３  脚体
５４  キャスタ
５９  取付け部材
６０、６１  係合爪
６２  係止板
６３  ハンドル
６４  係合ブロック
７１  芯材
７２  中空部
７３ａ  第１側面板
７３ｂ  第２側面板
７４ａ，７４ｂ，７４ｃ  連結片
７８ａ  第２開口溝
７８ｂ  第２挿通溝
７９  第３作業溝
【図１】
0004641127.tif 000002
【図２】
0004641127.tif 000003
【図３】
0004641127.tif 000004
【図４】
0004641127.tif 000005
【図５】
0004641127.tif 000006
【図６】
0004641127.tif 000007